(57)【要約】【課題】電動送風機からの振動伝播を抑制して騒音を低減することのできる電気掃除機を提供する。【解決手段】電動送風機１０と、電動送風機１０が発生させる気流によって吸引された塵埃を捕集する集塵部と、を有する掃除機本体６を備える電気掃除機において、電動送風機１０の軸方向吸込側には前面支持部材２６が配置され、電動送風機１０と前面支持部材２６の間には、電動送風機１０を掃除機本体６に支持する第１の防振材２９が設けられている。第１の防振材２９における前面支持部材２６に対向する面には、第１の防振材２９よりも摩擦係数の小さい滑り部材３０が取り付けられている。また、前面支持部材２６における滑り部材３０と対向する面には、第２の防振材２９が設けられている。【選択図】図１０
2016042919.tif 000002
【特許請求の範囲】
【請求項１】
電動機の回転軸に回転翼が設けられ、前記回転軸の軸方向へ気流を発生させる電動送風機と、前記電動送風機が発生させる気流によって吸引された塵埃を捕集する集塵部と、を有する掃除機本体を備える電気掃除機において、
前記電動送風機の軸方向吸込側に配置された前面支持部材と、
前記電動送風機と前記前面支持部材の間に介在して前記電動送風機を前記掃除機本体に支持する第１の防振材と、
前記前面支持部材と前記第１の防振材との間に設けられ、前記第１の防振材よりも摩擦係数の小さい滑り部材と、
を備える電気掃除機。
【請求項２】
前記第１の防振材は、前記電動送風機の軸方向吸込側の周縁を覆う環状の部材で構成される請求項１に記載の電気掃除機。
【請求項３】
前記電動送風機の径方向外側を覆う収容体を備え、
前記第１の防振材は、前記電動送風機と前記収容体の間に介在して前記電動送風機を支持するように構成されて成る請求項１又は請求項２に記載の電気掃除機。
【請求項４】
前記滑り部材は、前記第１の防振材に取り付けられて成る請求項１から請求項３の何れか１項に記載の電気掃除機。
【請求項５】
前記第１の防振材は、前記前面支持部材よりも硬度が小さい材料で構成されて成る請求項１から請求項４の何れか１項に記載の電気掃除機。
【請求項６】
前記前面支持部材における前記滑り部材と対向する面に設けられた第２の防振材を更に備え、
前記第２の防振材は、前記前面支持部材及び前記第１の防振材よりも硬度が小さい材料で構成されて成る請求項１から請求項５の何れか１項に記載の電気掃除機。
【請求項７】
電動機の回転軸に回転翼が設けられ、前記回転軸の軸方向へ気流を発生させる電動送風機と、前記電動送風機が発生させる気流によって吸引された塵埃を捕集する集塵部と、を有する掃除機本体を備える電気掃除機において、
前記電動送風機の軸方向吸込側に配置された前面支持部材と、
前記電動送風機と前記前面支持部材の間に介在して前記電動送風機を前記掃除機本体に支持する第１の防振材と、
前記前面支持部材における前記第１の防振材と対向する面に設けられた第２の防振材と、
を備える電気掃除機。
【請求項８】
前記第１の防振材は、前記電動送風機の軸方向吸込側の周縁を覆う環状の部材で構成される請求項７に記載の電気掃除機。
【請求項９】
前記電動送風機の径方向外側を覆う収容体を備え、
前記第１の防振材は、前記電動送風機と前記収容体の間に介在して前記電動送風機を支持するように構成されて成る請求項７又は請求項８に記載の電気掃除機。
【請求項１０】
前記第２の防振材は、前記前面支持部材及び前記第１の防振材よりも硬度が小さい材料で構成されて成る請求項７から請求項９の何れか１項に記載の電気掃除機。
【発明の詳細な説明】
【技術分野】
【０００１】
本発明は、電気掃除機に関するものである。
【背景技術】
【０００２】
従来から、掃除機本体内に電動送風機を備える電気掃除機において、弾性体を用いて電動送風機を掃除機本体に支持する構造が知られている。例えば、特許文献１には、電動送風機のケーシングの吸気口及び排気口の近傍に弾性体をそれぞれ配して電動送風機を掃除機本体に支持する構成が開示されている。
【先行技術文献】
【特許文献】
【０００３】
【特許文献１】特開２００４−１７４１４８号公報
【発明の概要】
【発明が解決しようとする課題】
【０００４】
電気掃除機を運転している状態では、電動送風機の風上側（軸方向吸込側）の風路が真空状態となり、電動送風機は発生する負圧によって軸方向吸込側へ移動される。このため、電動送風機の軸方向吸込側を支持部材等によって支持している電気掃除機においては、運転中に電動送風機が支持部材等へ近接することにより当該支持部材への振動伝搬が増加し、その結果騒音が増加してしまうという問題があった。
【０００５】
この発明は、上述の課題を解決するためになされたもので、電動送風機からの振動伝播を抑制して騒音を低減することのできる電気掃除機を提供することを目的とする。
【課題を解決するための手段】
【０００６】
本発明に係る電気掃除機は、電動機の回転軸に回転翼が設けられ、回転軸の軸方向へ気流を発生させる電動送風機と、電動送風機が発生させる気流によって吸引された塵埃を捕集する集塵部と、を有する掃除機本体を備える電気掃除機において、電動送風機の軸方向吸込側に配置された前面支持部材と、電動送風機と前面支持部材の間に介在して電動送風機を掃除機本体に支持する第１の防振材と、前面支持部材と第１の防振材との間に設けられ、第１の防振材よりも摩擦係数の小さい滑り部材と、を備えるものである。
【発明の効果】
【０００７】
本発明によれば、第１の防振材から支持部材への軸方向及び径方向の振動伝播が抑制されるので、電動送風機からの振動伝播を抑制して騒音を低減することが可能となる。
【図面の簡単な説明】
【０００８】
【図１】実施の形態１に係る電気掃除機の全体斜視図である。
【図２】実施の形態１に係る電気掃除機の掃除機本体を示す斜視図である。
【図３】実施の形態１に係る電気掃除機の掃除機本体を示す平面図である。
【図４】実施の形態１に係る電気掃除機の収納ユニットを示す斜視図である。
【図５】実施の形態１に係る電気掃除機の集塵ユニットを示す正面図である。
【図６】実施の形態１に係る電気掃除機の集塵ユニットを示す背面図である。
【図７】図３に示す掃除機本体のＡ−Ａ断面図である。
【図８】図７に示す掃除機本体のＢ−Ｂ断面図である。
【図９】実施の形態１に係る電気掃除機の掃除機本体内部の排気風路を説明するための図である。
【図１０】図８に示す掃除機本体のＣ−Ｃ断面図である。
【図１１】図１０におけるＤ部を拡大して示す要部拡大図である。
【図１２】実施の形態１の電気掃除機の電動送風機収容ユニットの振動方向を説明するための図である。
【図１３】実施の形態１の防振材の構成を示す斜視図である。
【図１４】実施の形態１の防振材の側面断面図である。
【図１５】実施の形態１の防振材の側面断面の要部拡大図である。
【発明を実施するための形態】
【０００９】
以下、図面を参照してこの発明を実施するための形態について説明する。なお、各図中において、同一又は相当する部分には同一の符号を付すとともに、重複する説明は適宜に簡略化又は省略する。
【００１０】
実施の形態１．
図１は、本発明の実施の形態１に係る電気掃除機の全体斜視図である。この図に示すように、電気掃除機１は、その要部が、吸込口体２、吸引パイプ３、接続パイプ４、サクションホース５、及び掃除機本体６から構成されている。
【００１１】
吸込口体２は、下向きに形成された開口から、床面上のごみ（塵埃）を空気と一緒に吸い込むためのものである。吸込口体２は、長手方向中央部に、排気のための接続部を備えている。吸引パイプ３は、円筒状を呈する真直ぐな部材からなる。吸引パイプ３の吸気側の端部は、吸込口体２の接続部に接続されている。
【００１２】
接続パイプ４は、途中で折れ曲がった円筒状の部材からなる。接続パイプ４の吸気側の端部は、吸引パイプ３の排気側の端部に接続される。接続パイプ４には、取っ手７が設けられている。取っ手７は、掃除をする人が持って操作するためのものである。取っ手７には、電気掃除機１の運転を制御するための操作スイッチ８が設けられている。
【００１３】
サクションホース５は、可撓性を備えた蛇腹状を呈する部材からなる。サクションホース５の吸気側の端部は、接続パイプ４の排気側の端部に接続される。
【００１４】
掃除機本体６は、ごみを含む空気（含塵空気）からごみを分離し、ごみが取り除かれた空気（清流空気）を排出する（例えば、室内に戻す）ためのものである。掃除機本体６には、その前側端部にホース接続口９が形成されている。サクションホース５の排気側の端部は、掃除機本体６のホース接続口９に接続される。
【００１５】
掃除機本体６は、後述する電動送風機１０、及び電源コード１１を備えている。電源コード１１は、後述する掃除機本体６内部のコードリール部３２に巻き付けられている。電源コード１１が外部電源に接続されることにより、電動送風機１０等の内部機器が通電する。電動送風機１０は、通電によって駆動し、操作スイッチ８に対する操作に応じて吸引動作を行う。
【００１６】
吸込口体２、吸引パイプ３、接続パイプ４、及びサクションホース５は、内部が連通した風路を形成している。電動送風機１０が吸引動作を行うと、床面上のごみが空気と一緒に吸込口体２に吸い込まれる。吸込口体２に吸い込まれた含塵空気は、吸込口体２、吸引パイプ３、接続パイプ４、及びサクションホース５の各内部を通って、掃除機本体６に送られる。このように、吸込口体２、吸引パイプ３、接続パイプ４、及びサクションホース５は、外部から掃除機本体６の内部に含塵空気を流入させるための風路を形成する。
【００１７】
図２は、本発明の実施の形態１に係る電気掃除機の掃除機本体を示す斜視図である。また、図３は、本発明の実施の形態１に係る電気掃除機の掃除機本体を示す平面図である。これらの図に示すように、掃除機本体６は、収容ユニット１２と集塵ユニット１３とを備えている。収容ユニット１２には、集塵ユニット１３を除く各種機器が収容されている。集塵ユニット１３は、収容ユニット１２に着脱自在に設けられている。
【００１８】
図４は、本発明の実施の形態１に係る電気掃除機の収納ユニットを示す斜視図である。なお、図４は、集塵ユニット１３を収容ユニット１２から取り外した状態を示している。この図に示すように、収容ユニット１２は、収容体１４，１５、吸気風路形成部１６、排気風路形成部１７、及び車輪１８を備えている。収容体１５は、前方及び上方が開口する箱状を呈する部材（例えば、成型品）からなる。後述する電動送風機１０及びコードリール部３２は、収容体１５に収容されている。収容体１４は、収容体１５に形成された上記開口を塞ぐように、収容体１５に設けられる。収容体１４の上方には、集塵ユニット１３を収容するための空間が形成されている。
【００１９】
吸気風路形成部１６は、掃除機本体６において、含塵空気を集塵ユニット１３に導くための吸気風路１９を形成する。吸気風路形成部１６は、一端が掃除機本体６の前面で開口する。吸気風路形成部１６は、収容体１４の内部空間を通過し、他端が収容ユニット１２の上面（収容体１５）で開口する。吸気風路形成部１６の上記一端は、ホース接続口９を形成する。吸気風路形成部１６の上記他端は、集塵ユニット１３との接続口２０を形成する。接続口２０は、収容ユニット１２の上面において、後側端部寄り及び一側寄りに配置される。
【００２０】
排気風路形成部１７は、掃除機本体６において、集塵ユニット１３から排出された空気（集塵ユニット１３においてごみが取り除かれた清浄空気）を、排気口（図示せず）に導くための排気風路２１を形成する。排気風路形成部１７は、一端が収容ユニット１２の上面（収容体１５）で開口する。排気風路形成部１７は、収容体１４の内部空間を通過し、他端が収容ユニット１２の外側に向けて開口する。排気風路形成部１７の上記一端は、集塵ユニット１３との接続口２２を形成する。排気風路形成部１７の上記他端は、排気口を形成する。接続口２２は、収容ユニット１２の上面において、後側端部寄りの中央に配置される。
【００２１】
図５は、本発明の実施の形態１に係る電気掃除機の集塵ユニットを示す正面図である。また、図６は、本発明の実施の形態１に係る電気掃除機の集塵ユニットを示す背面図である。集塵ユニット１３は、含塵空気からごみを分離し、分離したごみを一時的に溜めておくためのものである。集塵ユニット１３は、ユニット流出口３７と、ユニット流入口３８とを備え、その内部には、旋回室１３１と集塵部１３２とが設けられている。集塵ユニット１３は、ユニット流入口３８から流入した塵埃空気を内部の旋回室１３１で旋回させ、その遠心力によってごみを空気から分離する。即ち、集塵ユニット１３は、サイクロン分離機能を有している。旋回室１３１で分離されたゴミは集塵部１３２に落下して捕集され、分離された空気はユニット流出口３７から流出される。
【００２２】
上記構成を有する集塵ユニット１３が収容ユニット１２に適切に取り付けられると、旋回室（図示なし）等の中心軸が、収容体１５の斜面（上面）に合わせて斜めに配置される。そして、集塵ユニット１３への流入口であるユニット流入口３８及び集塵ユニット１３からの流出口であるユニット流出口３７が上記斜面に対向するように配置され、ユニット流入口３８が接続口２０に接続される。ユニット流出口３７は、接続口２２に接続される。
【００２３】
図７は、図３に示す掃除機本体のＡ−Ａ断面図である。電動送風機１０は、電気掃除機１に形成された風路（掃除機本体６の内部に含塵空気を流入させるための風路、吸気風路１９、後述する集塵ユニット１３内の風路、排気風路２１）に、気流を発生させるためのものである。電動送風機１０は、収容ユニット１２の後側端部寄りの位置において、排気風路２１内に配置される。
【００２４】
電動送風機１０が吸引動作を開始すると、電気掃除機１に形成された各風路に、気流（吸引風）が発生する。吸込口体２に吸い込まれた含塵空気は、ホース接続口９から掃除機本体６の内部に取り込まれる。掃除機本体６の内部に流入した含塵空気は、吸気風路１９を経て、接続口２０から集塵ユニット１３に送られる。集塵ユニット１３から排出された空気（清浄空気）は、排気風路２１に流入し、排気風路２１内の微細塵を捕集する第１の排気フィルタ３４を通過後、電動送風機収容ユニット３１内に備えた電動送風機１０を通過する。電動送風機１０を通過した空気は、微細塵を捕集する第２の排気フィルタ２３を通過し、電動送風機１０から排出された空気をさらに清浄する。
【００２５】
図８は、図７に示す掃除機本体のＢ−Ｂ断面図である。また、図９は、本発明の実施の形態１に係る電気掃除機の掃除機本体内部の排気風路を説明するための図である。なお、図９中の（ａ）は図７に示す掃除機本体のＢ−Ｂ断面図を、（ｂ）は図３に示す掃除機本体のＡ−Ａ断面図を、それぞれ示している。これらの図に示すように、排気ダクト２４の風路内には、電気掃除機を制御する基板ユニット２５が設置されている。清浄された空気は電気掃除機１の後方に排気されるため、排気ダクト２４を経て１８０°反転される。この際、排気ダクト２４を通過する清流空気は、発熱した基板ユニット２５を冷却する効果を担う。排気ダクト２４通過後の清流空気は、発熱し易いコードリール部３２を冷却した後、排気口３３から掃除機本体６（電気掃除機１）の外部に排出される。
【００２６】
次に、本発明の実施の形態１に係る電気掃除機の特徴的構成である電動送風機収容ユニットの構成について説明する。図１０は、図８に示す掃除機本体のＣ−Ｃ断面図である。また、図１１は、図１０におけるＤ部を拡大して示す要部拡大図である。さらに、図１２は、本実施の形態１の電気掃除機の電動送風機収容ユニットの振動方向を説明するための図である。電動送風機収容ユニット３１は、収容ユニット１２の後側端部寄りの位置において、排気風路２１の途中に介在するように配置される。
【００２７】
また、図１０及び図１１に示すように、電動送風機収容ユニット３１は、電動送風機１０、前面支持部材２６、背面支持部材２７、第２の排気フィルタ２３、第１の防振材２８、第２の防振材２９、滑り部材３０、及び電動送風機収容体３５から構成されている。電動送風機１０は、固定子、回転子及び回転軸等から成る電動機を有し、その回転軸には回転翼が設けられている。電動送風機１０の径方向外側は、吸気側及び排気側が開口した管状の電動送風機収容体３５によって覆われている。電動送風機１０は電動送風機収容体３５の内部において、その軸方向吸込側が前面支持部材２６によって支持され、軸方向排気側が背面支持部材２７によって支持されている。
【００２８】
なお、電動送風機１０は電気掃除機１において最も大きな音を発生する音源である。騒音の要素としては、例えば以下のような発生要因が挙げられる。
（１）電動送風機１０の回転翼が空気と衝突することにより発生する風切音。
（２）電動送風機１０内の磁束により生じる電磁力が回転子及び固定子に衝撃を与えることによって発生する電源周波数の２倍に依存する電気的騒音。
（３）電動送風機１０内の回転子及び固定子の重量分布が回転軸対称となっていない状態（アンバランス）により発生する騒音。
【００２９】
第２の排気フィルタ２３は電動送風機収容体３５の排気側の開口部に取り付けられている。第２の排気フィルタと電動送風機収容体３５の間には、発泡系のシール材が挟み込まれている。これにより、電動送風機収容ユニット３１内の気密性を高めることができるため、電気掃除機の吸引力の指標の一つである吸込み仕事率及び排気性能が改善される。また、第２の排気フィルタ２３は隙間を埋める効果を伴うため、電動送風機１０において発生する騒音を遮音することができ、騒音の低減効果が見込める。
【００３０】
ここで、電動送風機１０が運転されると、電動送風機１０の風上側の風路内の圧力は低下し真空状態となる。このため、電動送風機１０には、図１０中のＣの方向（すなわち図１２中の軸方向吸込側）に負圧による力が作用する。軸方向の大きな力が電動送風機１０に対して働くと、電動送風機１０で発生する振動が前面支持部材２６及び掃除機本体６を介して電気掃除機１全体に伝搬し易くなる。電気掃除機１に伝搬した振動は、空気に対し圧力変動を生じさせ、騒音として電気掃除機１から放射される。
【００３１】
そこで、本実施の形態１に係る電気掃除機では、電動送風機１０に第１の防振材２８を取り付けることとしている。より詳しくは、第１の防振材２８は、環状に構成された部材であって、電動送風機１０の前面側（すなわち軸方向吸込側）の周縁において、電動送風機１０の前方に設けられた回転翼を覆う羽翼カバー３９の側面及び前面縁部を覆うように設けられている。このような構成によれば、第１の防振材２８は、電動送風機収容体３５との間に挟まれて電動送風機１０の径方向を支持するとともに、前面支持部材２６との間に挟まれて電動送風機１０の軸方向を支持する。これにより、負圧の力によって電動送風機１０が軸方向に挙動して前面支持部材２６と接触することによる振動伝搬増加を抑制することができる。なお、第１の防振材２８は、電動送風機収容体３５と電動送風機１０の羽翼カバー３９の側面側が接触しない構成であれば、羽翼カバー３９の前面側のみを覆う構成でもよい。また、第１の防振材２８は、前面支持部材２６よりも硬度が小さいゴム素材を用いることが好ましい。このようなゴム素材としては、例えば、天然ゴム又はＥＰＤＭの発泡材を用いてもよい。
【００３２】
また、電動送風機１０の振動は背面支持部材２７にも伝搬する。そこで、本実施の形態１に係る電気掃除機では、電動送風機１０の背面側（すなわち軸方向吸込側）と背面支持部材２７との間に背面防振材３６を取り付けることとしている。これにより、電動送風機１０背面側での振動伝搬を抑制して振動を減衰させることができる。なお、背面防振材３６の材料には、ゴム系素材を用いることが好ましい。
【００３３】
また、電動送風機１０の騒音は、排気風路形成部１７を通過して集塵ユニット１３内に入り込む。集塵ユニット１３内では流入した音により空間の長さに応じた空間共鳴音が発生する。共鳴音は集塵ユニット１３の集塵室壁面を加振させ、壁面の圧力変動による放射音として電気掃除機１の外部に出力される。第１の防振材２８は、電動送風機１０に負圧の力が作用した場合であっても、電動送風機１０が前面支持部材２６に向かって軸方向に移動することを抑制することができる。これにより、電動送風機１０の振動が掃除機本体６に伝搬することが抑制されるので、共鳴音源部である集塵ユニット１３での共鳴音の発生を有効に抑制することが可能となる。
【００３４】
また、本実施の形態に係る電気掃除機では、前面支持部材２６と第１の防振材２８との間に第２の防振材２９が設けられている。第２の防振材２９は、より詳しくは、前面支持部材２６の周縁から第１の防振材２８へ向かって突出した面に、両面テープ等の粘着材４０によって貼り付けられている。つまり、第２の防振材２９は、前面支持部材２６において第１の防振材２８と対向する面に設けられている。電動送風機１０の振動は、軸、径及び周方向の中で最も軸方向の振動が大きい。このため、この軸方向の振動を抑制することは振動抑制による騒音低減に有効である。上記構成によれば、電動送風機１０からの軸方向の振動を第１の防振材２８及び第２の防振材２９によって減衰させることができる。なお、第２の防振材２９の材料は、前面支持部材２６及び第１の防振材２８よりも硬度の小さいゴム素材が使用される。これにより、第２の防振材２９が前面支持部材２６に密着するので、前面支持部材２６との気密性を確保しつつ電動送風機１０からの軸方向の振動を抑制することが可能となる。
【００３５】
図１３は、本実施の形態１の防振材の構成を示す斜視図である。また、図１４は、本実施の形態１の防振材の側面断面図である。さらに、図１５は、本実施の形態１の防振材の側面断面の要部拡大図である。これらの図に示すように、本実施の形態に係る電気掃除機では、第１の防振材２８と第２の防振材２９の間に滑り部材３０を備えている。つまり、第２の防振材２９は、前面支持部材２６において滑り部材３０と対向する面に設けられている。滑り部材３０は第１の防振材２８よりも摩擦係数の小さい材料で構成され、両面テープ等の粘着材により第１の防振材２８の側に取り付けられている。図１２に示すように、電動送風機１０は径方向にも振動する。上述した構成によれば、電動送風機１０に振動が発生した場合に、第１の防振材２８が取り付けられた電動送風機１０を含む電動送風機収容ユニット３１と第２の防振材２９が取り付けられた前面支持部材２６との間で横滑りが発生する。これにより、前面支持部材２６に伝搬する電動送風機１０の径方向の振動成分を減衰させることができるので、振動抑制による騒音低減効果を奏することができる。
【００３６】
また、上述した構成によれば、滑り部材３０は、前面支持部材２６に取り付けられた第２の防振材２９に接触する。上述したとおり、第２の防振材２９の硬度は前面支持部材２６よりも小さい。このため、第２の防振材２９は、滑り部材３０が前面支持部材２６と接触して損傷することを防止する効果を併せ持つ。
【００３７】
なお、滑り部材３０の素材としては、摩擦係数の小さいフッ素加工テープを用いることが好ましい。また、その他、ポリエチレン多孔質フィルム、黒鉛シート及びナフロン系の低摩擦素材を使用してもよい。
【００３８】
以上説明したとおり、本実施の形態に係る電気掃除機によれば、電動送風機１０に取り付けられる防振材が第１の防振材２８と第２の防振材２９の２種類に分割されている。これにより、防振性に優れた第１の防振材２８と、電動送風機１０の軸方向の振動伝搬の抑制に優れた第２の防振材２９の２種類の機能を防振材に持たせることが可能となる。
【００３９】
また、本実施の形態に係る電気掃除機によれば、電動送風機１０に取り付ける防振材が第１の防振材２８と第２の防振材２９の２種類に分割され、それらの間に滑り部材３０が設けられる。これにより、電動送風機１０の径方向の振動伝搬を有効に抑制することが可能となる。
【００４０】
ところで、上述した実施の形態１の電気掃除機では、第１の防振材２８の第２の防振材２９に対向する面に滑り部材３０を取り付けることとしたが、滑り部材３０の構成は必須ではない。すなわち、第１の防振材２８の第２の防振材２９に対向する面に表面処理等が施され、当該表面が第２の防振材２９との間で横滑りする程度の摩擦係数となっていれば、滑り部材３０の構成はなくてもよい。
【００４１】
また、上述した実施の形態１の電気掃除機では、第１の防振材２８と第２の防振材２９の間において、第１の防振材２８の側に滑り部材３０を取り付けることとしたが、第２の防振材２９の側に滑り部材３０を取り付けることとしてもよい。また、滑り部材３０が位置ずれを起こさないように構成されているのであれば、第１の防振材２８と第２の防振材２９との間において、何れにも装着されていない構成でもよい。
【００４２】
また、上述した実施の形態１の電気掃除機では、滑り部材３０と対向する前面支持部材２６の面に第２の防振材２９を取り付けることとしたが、第２の防振材２９の構成は必須ではない。すなわち、滑り部材３０と第２の防振材２９との間で気密性を保ちつつ横滑りさせることができる構成であれば、第２の防振材２９の構成はなくてもよい。
【符号の説明】
【００４３】
１  電気掃除機、２  吸込口体、３  吸引パイプ、４  接続パイプ、５  サクションホース、６  掃除機本体、７  取っ手、８  操作スイッチ、９  ホース接続口、１０  電動送風機、１１  電源コード、１２  収容ユニット、１３  集塵ユニット、１３１  旋回室、１３２  集塵部、１４，１５  収容体、１６  吸気風路形成部、１７  排気風路形成部、１８  車輪、１９  吸気風路、２０  接続口、２１  排気風路、２２  接続口、２３  排気フィルタ、２４  排気ダクト、２５  基板ユニット、２６  前面支持部材、２７  背面支持部材、２８  第１の防振材、２９  第２の防振材、３０  滑り部材、３１  電動送風機収容ユニット、３２  コードリール部、３３  排気口、３４  排気フィルタ、３５  電動送風機収容体、３６  背面防振材、３７  ユニット流出口、３８  ユニット流入口、３９  羽翼カバー、４０  粘着材
【図１】
2016042919.tif 000003
【図２】
2016042919.tif 000004
【図３】
2016042919.tif 000005
【図４】
2016042919.tif 000006
【図５】
2016042919.tif 000007
【図６】
2016042919.tif 000008
【図７】
2016042919.tif 000009
【図８】
2016042919.tif 000010
【図９】
2016042919.tif 000011
【図１０】
2016042919.tif 000012
【図１１】
2016042919.tif 000013
【図１２】
2016042919.tif 000014
【図１３】
2016042919.tif 000015
【図１４】
2016042919.tif 000016
【図１５】
2016042919.tif 000017